Podtech/llm-jp-corpus-v4-ja_patent huggingface dataset:
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
化合物(I)：
【化１】
2014520874.tif 000001
又はその薬学的に許容される塩を含む医薬剤形、及び計量された用量の化合物(I)又はその薬学的に許容される塩を提供する手段。
【請求項２】
前記計量手段の作動1回当たり、0.5ナノグラム〜20マイクログラムの化合物(I)を提供する、請求項1に記載の医薬剤形。
【請求項３】
前記計量手段の作動1回当たり、0.5ナノグラム〜5マイクログラムを提供する、請求項2に記載の医薬剤形。
【請求項４】
前記計量手段の作動1回当たり、1ナノグラム〜5マイクログラムを提供する、請求項3に記載の医薬剤形。
【請求項５】
前記計量手段の作動1回当たり、0.5ナノグラム〜999ナノグラムを提供する、請求項4に記載の医薬剤形。
【請求項６】
前記計量手段の作動1回当たり、1ナノグラム〜999ナノグラムを提供する、請求項5に記載の医薬剤形。
【請求項７】
計量手段を用いた使用に適していることを特徴とする、化合物(I)又はその薬学的に許容される塩を含む医薬組成物。
【請求項８】
それを必要とするヒトに0.5ナノグラム〜40000ナノグラムの化合物(I)が投与されることを特徴とする、アレルギー性疾患及び他の炎症状態、例えばアレルギー性鼻炎及びアレルギー性喘息の治療に使用するための、化合物(I)又はその薬学的に許容される塩を含む医薬。
【請求項９】
それを必要とするヒトに1ナノグラム〜20000ナノグラムの化合物(I)が投与される、請求項8に記載の医薬。
【請求項１０】
それを必要とするヒトに2ナノグラム〜20000ナノグラムの化合物(I)が投与される、請求項9に記載の医薬。
【請求項１１】
それを必要とするヒトに1ナノグラム〜4000ナノグラムの化合物(I)が投与される、請求項9に記載の医薬。
【請求項１２】
それを必要とするヒトに2ナノグラム〜4000ナノグラムの化合物(I)が投与される、請求項11に記載の医薬。
【請求項１３】
それを必要とするヒトに1ナノグラム〜999ナノグラムの化合物(I)が投与される、請求項11に記載の医薬。
【請求項１４】
それを必要とするヒトに2ナノグラム〜999ナノグラムの化合物(I)が投与される、請求項13に記載の医薬。
【請求項１５】
化合物(I)が1週間に1回投与される、請求項8から14のいずれか一項に記載の医薬。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
１つ又は複数の有機酸の徐放用膣内送達システムであって、１つ又は複数のエチレン酢酸ビニル（ＥＶＡ）コポリマーと１つ又は複数のカルボキシルポリマーとの組み合わせを含むことを特徴とする、システム。
【請求項２】
前記１つ又は複数のＥＶＡコポリマーが、酢酸ビニル約２５〜４０％、又は酢酸ビニル約４０％を含む、エチレン及び酢酸ビニルのコポリマーである、請求項１に記載の膣内送達システム。
【請求項３】
前記１つ又は複数のカルボキシルポリマーが、メタクリル酸コポリマー、セルロースアセテートフタレート（ＣＡＰ）、アクリル酸（コ）ポリマー、アルギネート、ポリ乳酸、ヒプロメロースアセテートスクシネート（ＨＰＭＣＡＳ）、それらのコポリマー若しくは混合物等からなる一覧より選択されるか、又はメタクリル酸コポリマー若しくセルロースアセテートフタレートである、請求項１又は２のいずれか１項に記載の膣内送達システム。
【請求項４】
１つ若しくは複数のＥＶＡポリマー又はＥＶＡ４０若しくはＥＶＡ２８と、１つ若しくは複数のメタクリル酸コポリマー又はメタクリル酸−メタクリル酸エステルコポリマー、又は１つ又は複数のセルロースアセテートフタレートとの組み合わせを含む、請求項１〜３のいずれか１項に記載の膣内送達システム。
【請求項５】
前記１つ又は複数の有機酸が、乳酸、ポリ乳酸、グリコール酸、ポリグリコール酸、アスコルビン酸、葉酸、ｐ−アミノ安息香酸、アルギン酸、ソルビン酸、酒石酸、酢酸、ギ酸、クエン酸、シュウ酸、尿酸、エデト酸、アジピン酸、コハク酸、グルタミン酸、及びそれらの（thereof）混合物からなる群より選択されるか、又は乳酸及びポリ乳酸より選択される、請求項１〜４のいずれか１項に記載の膣内送達システム。
【請求項６】
前記１つ又は複数の有機酸約１〜２０重量％を含む、又は前記１つ又は複数の有機酸約５〜１０重量％、又は前記１つ又は複数の有機酸約５重量％を含む、請求項１〜５のいずれか１項に記載の膣内送達システム。
【請求項７】
１つ又は複数のＥＶＡポリマー約６５〜８０重量％と、１つ又は複数のカルボキシルポリマーの約１０〜５０重量％又は２０重量％とを含む、請求項１〜６のいずれか１項に記載の膣内送達システム。
【請求項８】
乳酸の約１〜２０重量％又は約５重量％と、ＥＶＡ約６５〜８０重量％と、１つ又は複数のカルボキシルポリマーの約１０〜５０重量％又は２０重量％とを含む、請求項１〜７のいずれか１項に記載の膣内送達システム。
【請求項９】
前記膣内送達システムが、押出、共押出若しくは射出成形、又はそれらの組み合わせによって製造される、請求項１〜８のいずれか１項に記載の膣内送達システム。
【請求項１０】
１つ又は複数の薬学的に活性な成分を更に含む、請求項１〜９のいずれか１項に記載の膣内送達システム。
【請求項１１】
医薬として使用される請求項１〜１０のいずれか１項に記載の膣内送達システム。
【請求項１２】
１つ又は複数の有機酸の制御された膣内送達に使用される請求項１〜１０のいずれか１項に記載の膣内送達システム。
【請求項１３】
膣感染症又は膣細菌感染症又は再発性膣炎の予防及び／又は治療に使用される請求項１〜１０のいずれか１項に記載の膣内送達システム。
【請求項１４】
膣感染症又は膣細菌感染症又は再発性膣炎の予防及び／又は治療に使用される、１つ又は複数の追加の活性剤の投与と組み合わされた請求項１〜１０のいずれか１項に記載の膣内送達システム。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
ａ）真核発現系において産生されたＦｃ融合タンパク質を含むサンプルを準備し、
ｂ）サンプル中に存在するＦｃ融合タンパク質をプロテインＡアフィニティクロマトグラフィー樹脂に結合させ、
ｃ）プロテインＡ樹脂からＦｃ融合タンパク質を溶出し、ここで、溶出産物から第２サンプル（プロテインＡ産物（ＰＡＰ）と称されうる）を得、
ｄ）ＰＡＰをカチオン交換（ＣＥＸ）クロマトグラフィー樹脂に結合させ、
ｅ）ＣＥＸ樹脂から第２サンプルを溶出し、ここで、溶出産物から第３サンプル（ＣＥＸ産物（ＣＥＸＰ）と称されうる）を得、
ｆ）ＣＥＸＰをアニオン交換（ＡＥＸ）クロマトグラフィー樹脂に結合させ、そして、
ｇ）ＡＥＸ樹脂から第３サンプルを溶出し、ここで、溶出産物から精製Ｆｃ融合タンパク質組成物を得る、
工程を含む、サンプル中に存在する１以上の不純物からＦｃ融合タンパク質を精製する方法。
【請求項２】
Ｆｃ融合タンパク質がｐ７５  ＴＮＦＲ：Ｆｃである、請求項１記載の方法。
【請求項３】
５０ｍＭ  シトラート（ｐＨ５．０）〜１００ｍＭ  シトラート（ｐＨ４．０）の勾配を用いて工程ｃ）における溶出を行う、請求項１記載の方法。
【請求項４】
工程ｂ）が、
ｂ’）３〜７の範囲のｐＨおよび１０ｍｓ／ｃｍ〜５０ｍｓ／ｃｍの範囲の伝導度を有するバッファーで結合Ｆｃ融合タンパク質を洗浄することを更に含む、請求項１記載の方法。
【請求項５】
工程ｅ）における溶出を、直線イオン強度勾配として、２５ｍＭ  アルギニンを含む２５ｍＭ  リン酸ナトリウムバッファー（ｐＨ４．０）を使用して行う、請求項１記載の方法。
【請求項６】
工程ｄ）が、
ｄ’）３〜７の範囲のｐＨおよび１０ｍｓ／ｃｍ〜５０ｍｓ／ｃｍの範囲の伝導度を有するバッファーで結合Ｆｃ融合タンパク質を洗浄することを更に含む、請求項１記載の方法。
【請求項７】
工程ｇ）における溶出を、直線イオン強度勾配として、１２．５ｍＭ  リン酸ナトリウムバッファー（ｐＨ８．０）を使用して行う、請求項１記載の方法。
【請求項８】
工程ｄ）が、
ｄ’）３〜７の範囲のｐＨおよび１０ｍｓ／ｃｍ〜５０ｍｓ／ｃｍの範囲の伝導度を有するバッファーで結合Ｆｃ融合タンパク質を洗浄することを更に含む、請求項１記載の方法。
【請求項９】
プロテインＡクロマトグラフィー樹脂がＰＯＲＯＳ  ＭａｂＣａｐｔｕｒｅ  Ａである、請求項１記載の方法。
【請求項１０】
ＣＥＸクロマトグラフィー工程を、Ｐｏｒｏｓ  ＨＳ、Ｐｏｒｏｓ  ＸＳ、ＳＰ  Ｓｅｐｈａｒｏｓｅ、Ｔｏｙｏｐｅａｒｌ  ＳＰ、ＳＰ  Ｓｅｐｈａｒｏｓｅ  ＢＢ、Ｓｏｕｒｃｅ  ３０Ｓ、ＴＳＫＧｅｌ  ＳＰ−５ＰＷ−ＨＲ２０およびＴｏｙｏｐｅａｒｌ  ＳＰ  ６５０から選択される強カチオン交換樹脂上で行い、ＡＥＸクロマトグラフィー工程を、Ｐｏｒｏｓ  ＨＱ、Ｑ−Ｓｅｐｈａｒｏｓｅ、Ｑ−Ｃｅｒａｍｉｃ  Ｈｙｐｅｒ  Ｄ、Ｔｏｙｏｐｅａｒｌ  Ｑ．ＵＮＯ  Ｑから選択される強アニオン交換樹脂上で行う、請求項１記載の方法。
【請求項１１】
ＣＥＸクロマトグラフィー樹脂がＰｏｒｏｓ  ＨＳ強カチオン交換樹脂であり、ＡＥＸクロマトグラフィー樹脂がＰｏｒｏｓ  ＨＱ強アニオン交換樹脂である、請求項１０記載の方法。
【請求項１２】
Ｆｃ融合タンパク質を含むサンプルが哺乳類細胞培養ブロスまたは酵母発酵ブロスである、請求項１記載の方法。
【請求項１３】
Ｆｃ融合タンパク質を含むサンプルが酵母発酵ブロスであり、工程ａ）が、
ａ’）Ｆｃ融合タンパク質を含むサンプルのｐＨを８〜９のｐＨに調節し、サンプルをリフォールディング剤および解離剤と接触させることを更に含む、請求項１２記載の方法。
【請求項１４】
リフォールディング剤が、アルギニン、グリセロール、ＥＤＴＡ、ＴＭＡＯ、ＰＥＧ−３５００または酸化還元試薬から選択され、解離剤が、尿素または塩酸グアニジンから選択される、請求項１３記載の方法。
【請求項１５】
Ｆｃ融合タンパク質を含むサンプルのｐＨを８．６に調節する、請求項１３記載の方法。
【請求項１６】
工程ｇ）において得られた精製Ｆｃ融合タンパク質組成物が、＞９９％の純度を有する産物を与える、請求項１記載の方法。
【請求項１７】
工程ｇ）において得られた精製Ｆｃ融合タンパク質組成物が＞１８ｍＭｏｌのＴＳＡレベルにより特徴づけられる、請求項１記載の方法。
【請求項１８】
請求項１記載の方法により得られる精製されたＦｃ含有融合タンパク質。
【請求項１９】
請求項１記載の方法により得られる精製されたＴＮＦＲ：Ｆｃタンパク質。
【請求項２０】
ＣＨＯ細胞培養発現系において製造され、請求項１記載の方法により精製された、＞９９％の純度および＞１８ｍＭｏｌのＴＳＡレベルを有する高度に精製されたＴＮＦＲ：Ｆｃタンパク質。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
第１のノロウイルスジェノグループに由来する第１の一価ＶＬＰと、第２のノロウイルスジェノグループに由来する第２の一価ＶＬＰとを含む、緩衝組成物であって、
前記緩衝剤が、Ｌ−ヒスチジン又はイミダゾールであり、液体製剤である、組成物。
【請求項２】
前記Ｌ−ヒスチジン又はイミダゾールは、約１５ｍＭから約５０ｍＭの間の濃度である、請求項１に記載の緩衝組成物。
【請求項３】
前記Ｌ−ヒスチジン又はイミダゾールは、約２０ｍＭから約２５ｍＭの間の濃度である、請求項２に記載の緩衝組成物。
【請求項４】
ｐＨが、約６．０から約７．９の間である、請求項１に記載の緩衝組成物。
【請求項５】
ｐＨが、約６．２から約６．８の間である、請求項４に記載の緩衝組成物。
【請求項６】
さらに、薬学的に許容可能な塩を含む、請求項１に記載の緩衝組成物。
【請求項７】
前記塩が、塩化ナトリウム、塩化カリウム、硫酸ナトリウム、硫酸アンモニウム、及びクエン酸ナトリウムからなる群より選択される、請求項６に記載の緩衝組成物。
【請求項８】
前記塩が、塩化ナトリウムである、請求項７に記載の緩衝組成物。
【請求項９】
前記塩化ナトリウムの濃度が、約１０ｍＭと約２００ｍＭの間である、請求項８に記載の緩衝組成物。
【請求項１０】
前記塩化ナトリウムの濃度が、約１００ｍＭと約１５０ｍＭの間である、請求項９に記載の緩衝組成物。
【請求項１１】
前記第１のノロウイルスジェノグループが、ジェノグループＩである、請求項１に記載の緩衝組成物。
【請求項１２】
前記ノロウイルスジェノグループのいずれか１つが、ジェノグループＩＩである、請求項１に記載の緩衝組成物。
【請求項１３】
前記第２のノロウイルスジェノグループが、ジェノグループＩＩである、請求項１に記載の緩衝組成物。
【請求項１４】
前記第１の一価ＶＬＰが、ノロウイルス遺伝子型ＧＩ．１由来であり、前記第２の一価ＶＬＰが、ノロウイルス遺伝子型ＧＩＩ．４由来である、請求項１３に記載の緩衝組成物。
【請求項１５】
前記第２の一価ＶＬＰが、ジェノグループＩＩノロウイルスのコンセンサス配列に由来するカプシドタンパク質を含む、請求項１３に記載の緩衝組成物。
【請求項１６】
さらに、少なくとも１つのアジュバントを含む、請求項１に記載の緩衝組成物。
【請求項１７】
前記アジュバントが、モノホスホリルリピドＡ（ＭＰＬ）及びミョウバンからなる群より選択される、請求項１６に記載の緩衝組成物。
【請求項１８】
さらに、ＭＰＬ及びミョウバンを含む、請求項１に記載の緩衝組成物。
【請求項１９】
対象における免疫反応を誘導する方法で使用するための、請求項１に記載の緩衝組成物であって、該方法が、前記緩衝組成物を対象に投与することを含む、緩衝組成物。
【請求項２０】
請求項１に記載の緩衝組成物を含む、ワクチン製剤。
【請求項２１】
対象における免疫反応を誘導する方法で使用するための、請求項２０に記載のワクチン製剤。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
正常対象における低酸素症の治療方法であって、有効量の５−ヒドロキシメチル−２−フルフラール（５−ＨＭＦ）を対象に投与することを含み、低酸素症は高地低酸素症ではない、前記方法。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
BCMAに特異的に結合し、且つBCMAに対するBAFF及び/又はAPRILの結合を阻害する抗原結合タンパク質であって、FcγRIIIAに結合できるか、又はFcγRIIIA媒介性エフェクター機能を有し得、且つ内在化できる、前記抗原結合タンパク質。
【請求項２】
FcγRIIIAに対する増強された結合を有するか、又は増強されたFcγRIIIA媒介性エフェクター機能を有する、請求項１に記載の抗原結合タンパク質。
【請求項３】
抗原結合タンパク質が、増強されたADCCエフェクター機能を有する、請求項２に記載の抗原結合タンパク質。
【請求項４】
脱フコシル化される、請求項１〜３のいずれか１項に記載の抗原結合タンパク質。
【請求項５】
抗原結合タンパク質がTaciに結合しない、請求項１〜４のいずれか１項に記載の抗原結合タンパク質。
【請求項６】
配列番号３のCDRH3又は配列番号３のバリアントを含む、請求項１〜５のいずれか１項に記載の抗原結合タンパク質。
【請求項７】
配列番号１のCDRH1、CDRH2:配列番号２、CDRL1:配列番号４、CDRL2:配列番号５及び/又はCDRL3:配列番号６のうちの1以上を更に含む、請求項６に記載の抗原結合タンパク質。
【請求項８】
i)配列番号３に記載されるCDRH3、
ii)配列番号１に記載されるCDRH1、及び
iii)配列番号２に記載されるCDRH2、
を含む、請求項７に記載の抗原結合タンパク質。
【請求項９】
i)配列番号３に記載されるCDRH3、
ii)配列番号１に記載されるCDRH1、
iii)配列番号２に記載されるCDRH2、
iv)配列番号４に記載されるCDRL1、
v)配列番号５に記載されるCDRL2、及び
vi)配列番号６に記載されるCDRL3、
を含む、請求項８に記載の抗原結合タンパク質。
【請求項１０】
配列番号２３又は配列番号２７又は配列番号２９のいずれか1つによりコードされる重鎖可変領域を含む、請求項１〜９のいずれか１項に記載の抗原結合タンパク質。
【請求項１１】
配列番号３１又は配列番号３３のいずれか1つによりコードされる軽鎖可変領域を含む、請求項１〜１０のいずれか１項に記載の抗原結合タンパク質。
【請求項１２】
配列番号２３によりコードされる重鎖可変領域及び配列番号３１によりコードされる軽鎖可変領域を含む、請求項１〜１１のいずれか１項に記載の抗原結合タンパク質。
【請求項１３】
配列番号２７によりコードされる重鎖及び配列番号３１によりコードされる軽鎖を含む、請求項１〜１１のいずれか１項に記載の抗原結合タンパク質。
【請求項１４】
ヒト化モノクローナル抗体である、請求項１〜１３のいずれか１項に記載の抗原結合タンパク質。
【請求項１５】
前記抗体がIgG1アイソタイプである、請求項１４に記載の抗原結合タンパク質。
【請求項１６】
請求項６〜９のいずれか１項に記載のCDRを含み、Fab、Fab'、F(ab')2、Fv、ダイアボディ、トリアボディ、テトラボディ、ミニ抗体、ミニボディ、単離されたVH又は単離されたVLである断片である、抗原結合タンパク質。
【請求項１７】
非ヒト霊長類BCMAに更に結合する、請求項１〜１６のいずれか１項に記載の抗原結合タンパク質。
【請求項１８】
150pMより強い親和性でBCMAに結合する、請求項１〜１７のいずれか１項に記載の抗原結合タンパク質。
【請求項１９】
請求項１〜１８のいずれか１項に記載の抗原結合タンパク質及び細胞傷害剤を含む、免疫コンジュゲート。
【請求項２０】
抗原結合タンパク質がリンカーを介して細胞傷害剤に結合される、請求項１９に記載の免疫コンジュゲート。
【請求項２１】
細胞傷害剤がアウリスタチン又はドラスタチンである、請求項１９又は２０に記載の免疫コンジュゲート。
【請求項２２】
細胞傷害剤がMMAE及びMMAFから選択される、請求項１９〜２１のいずれか１項に記載の免疫コンジュゲート。
【請求項２３】
細胞傷害剤が抗原結合タンパク質に共有結合される、請求項１９〜２２のいずれか１項に記載の免疫コンジュゲート。
【請求項２４】
リンカーが切断可能なリンカーである、請求項２０〜２３のいずれか１項に記載の免疫コンジュゲート。
【請求項２５】
リンカーが切断可能でないリンカーである、請求項２０〜２３のいずれか１項に記載の免疫コンジュゲート。
【請求項２６】
リンカーが、6-マレイミドカプロイル(MC)、マレイミドプロパノイル(MP)、バリン-シトルリン(val-cit)、アラニン-フェニルアラニン(ala-phe)、p-アミノベンジルオキシカルボニル(PAB)、N-スクシンイミジル4-(2-ピリジルチオ)ペンタノエート(SPP)、N-スクシンイミジル4-(N-マレイミドメチル)シクロヘキサン-1カルボキシレート(SMCC)、及びN-スクシンイミジル(4-ヨード-アセチル)アミノベンゾエート(SIAB)から選択される、請求項２０〜２５のいずれか１項に記載の免疫コンジュゲート。
【請求項２７】
免疫コンジュゲートが、腫瘍細胞と接触した場合、腫瘍細胞により貪食される、請求項１９〜２６のいずれか１項に記載の免疫コンジュゲート。
【請求項２８】
請求項１〜２７のいずれか１項に記載の抗原結合タンパク質又は免疫コンジュゲート及び薬学的に許容可能な担体を含む、医薬組成物。
【請求項２９】
炎症性障害又は疾患を患っているヒト患者を治療するための、請求項２８に記載の組成物。
【請求項３０】
B細胞リンパ腫を患っているヒト患者を治療するための、請求項２８に記載の組成物。
【請求項３１】
B細胞リンパ腫が多発性骨髄腫(MM)又は慢性リンパ球性白血病(CLL)である、請求項３０に記載の組成物。
【請求項３２】
B細胞リンパ腫を患っているヒト患者を治療するのに使用するための請求項１〜２７のいずれか１項に記載の抗原結合タンパク質又は免疫コンジュゲート。
【請求項３３】
B細胞リンパ腫が多発性骨髄腫(MM)又は慢性リンパ球性白血病(CLL)である、請求項３２に記載の抗原結合タンパク質又は免疫コンジュゲート。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
トレッド、クラウン補強部を有するクラウン、2つのサイドウォール、2つのビード及び2つのビードに固定され且つ一方のサイドウォールからもう一方のサイドウォールまで伸びているカーカス補強部を備えているタイヤであって、トレッドが少なくとも1つの熱可塑性エラストマーを含み、前記熱可塑性エラストマーが少なくとも1つのエラストマーブロック及び少なくとも1つの熱可塑性ブロックを含むブロックコポリマーであり、熱可塑性エラストマーの全含量が65から100phr(エラストマー百部当たりの質量部)までの範囲内にあることを特徴とする、前記タイヤ。
【請求項２】
熱可塑性エラストマーの数平均分子量が、30 000と500 000 g/モルの間にある、請求項1に記載のタイヤ。
【請求項３】
ブロックコポリマーの1つ以上のエラストマーブロックが、25℃未満のガラス転移温度を有するエラストマーより選ばれる、請求項1又は2に記載のタイヤ。
【請求項４】
ブロックコポリマーの1つ以上のエラストマーブロックが、エチレンエラストマー、ジエンエラストマー及びこれらの混合物からなる群より選ばれる、請求項1〜3のいずれか1項に記載のタイヤ。
【請求項５】
ブロックコポリマーの1つ以上のエラストマーブロックが、エチレンエラストマーより選ばれる、請求項1〜4のいずれか1項に記載のタイヤ。
【請求項６】
ブロックコポリマーの1つ以上のエラストマーブロックが、ジエンエラストマーより選ばれる、請求項1〜5のいずれか1項に記載のタイヤ。
【請求項７】
ブロックコポリマーの1つ以上の熱可塑性ブロックが、ガラス転移温度が80℃よりも高く、半結晶性熱可塑性ブロックの場合、融点が80℃よりも高いポリマーより選ばれる、請求項1〜6のいずれか1項に記載のタイヤ。
【請求項８】
ブロックコポリマーの1つ以上の熱可塑性ブロックが、ポリオレフィン、ポリウレタン、ポリアミド、ポリエステル、ポリアセタール、ポリエーテル、ポリフェニレンスルフィド、ポリフッ化化合物、ポリスチレン、ポリカーボネート、ポリスルホン、ポリメチルメタクリレート、ポリエーテルイミド、熱可塑性コポリマー及びこれらの混合物からなる群より選ばれる、請求項1〜7のいずれか1項に記載のタイヤ。
【請求項９】
1つ以上の熱可塑性エラストマーが、スチレン/ブタジエン(SB)、スチレン/イソプレン(SI)、スチレン/ブタジエン/イソプレン(SBI)、スチレン/ブタジエン/スチレン(SBS)、スチレン/イソプレン/スチレン(SIS)及びスチレン/ブタジエン/イソプレン/スチレン(SBIS)熱可塑性エラストマー及びこれらのコポリマーの混合物からなる群より選ばれる、請求項1〜8のいずれか1項に記載のタイヤ。
【請求項１０】
1つ以上の熱可塑性エラストマーが、トレッドの唯一のエラストマーである、請求項1〜9のいずれか1項に記載のタイヤ。
【請求項１１】
トレッドが、更に、少なくとも1つの可塑剤を含んでいる、請求項1〜10のいずれか1項に記載のタイヤ。
【誤訳訂正書】
【提出日】平成27年5月15日(2015.5.15)
【誤訳訂正１】
【訂正対象書類名】明細書
【訂正対象項目名】０００２
【訂正方法】変更
【訂正の内容】
【０００２】
多くの場合、大型車両用の空気式タイヤにおけるトレッドパターンは、直線形、ジグザク形または波形の円周方向の溝を有しており、これらの溝は、横方向の溝および/または切込みによって連結することが可能である。これらの円周方向の溝は、一般に、磨耗標識を含み、これらの標識は、これらの溝の底部を一定の円周方向の長さに亘って覆っている加硫ゴム混合物の小プラットフォームである；上記標識は、使用中のトレッド上に法的に残存しなければならない最低のパターン深を表示する。大型車両用のパターンは、再溝付け(新たな溝を再度くりぬくことができる作業)可能であり、そのようなパターンを有する空気式タイヤは、その側壁上に、表示“Regroovable (再溝付け可能)”または符号“U”を付している。再溝付けは、一方では大型車両空気式タイヤのグリップ力を延命し、他方では、タイヤ寿命(キロメートルで表す)を有意に(場合によって、15％〜30％)増大させることを可能にする；このことは、再トレッド形成の実施可能性を損なうことなく達成され、さらにまた、このことは、大型車両空気式タイヤの本質的な特徴でもある。
【誤訳訂正２】
【訂正対象書類名】明細書
【訂正対象項目名】００１０
【訂正方法】変更
【訂正の内容】
【００１０】
以下において、用語“コード”または“ストリング”は、本質的な接触断面を有し且つ他の如何なる寸法よりもはるかに大きい幅を有するゴム形状化要素を意味するものと理解されたい、また、用語“再溝付け用コード”は、製造中のタイヤのトレッドの内部空洞内に挿入し、次いで、稼動中のトレッドの磨耗後に、抜き出して円周方向の再溝付け溝を形成することを意図するゴム形状化要素を意味するものと理解されたい。再溝付け用コードは、トレッド内に挿入後、連続円周環を形成する。この環は、必要に応じて、直線形、ジグザク形または波形であり得る。
【誤訳訂正３】
【訂正対象書類名】明細書
【訂正対象項目名】００２６
【訂正方法】変更
【訂正の内容】
【００２６】
本発明のもう１つの主題は、トレッドが上に存在するクラウン補強材を含むクラウンを有する空気式または非空気式タイヤであって、上記トレッドが、上記トレッドの少なくとも１つの円周方向空洞内に、上記で説明したようなな複合コードを含むことを特徴とする上記空気式または非空気式タイヤである。
【誤訳訂正４】
【訂正対象書類名】明細書
【訂正対象項目名】００９６
【訂正方法】変更
【訂正の内容】
【００９６】
図１５において、上記ブランクの加硫後のこの製造操作から得られた空気式タイヤの断面の１部２を例示している；この断面は、空気式タイヤの回転軸３に対して放射面において採用している。トレッド４は、空気式タイヤの外周において、タイヤ側壁間で且つタイヤ外周内部のタイヤカーカス５上に及んでいる。トレッド４は、空気式タイヤが地面と接触する表面を構成する外周面６を示している。この面は、円形断面の円筒状の一般的形状を有している。
トレッド４は、天然および合成エラストマーの混合物および各種成分および補助剤を通常含むゴムから形成された本体を含む。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
(4S,4aS,5aR,12aS)-4-ジメチルアミノ-3,10,12,12a-テトラヒドロキシ-7-[(メトキシ(メチル)アミノ)-メチル]-1,11-ジオキソ-1,4,4a,5,5a,6,11,12a-オクタヒドロ-ナフタセン-2-カルボン酸アミドの結晶塩であって、モノ塩酸塩、モノメシル酸塩及びモノ硫酸塩からなる群から選択される、前記結晶塩。
【請求項２】
前記塩が実質的に純粋である、請求項1に記載の結晶塩。
【請求項３】
前記塩がモノ塩酸塩である、請求項1に記載の結晶塩。
【請求項４】
結晶塩の合成後に実質的に図1に示すようなXRPDパターンを有する、請求項3に記載の結晶塩。
【請求項５】
XRPDで測定して少なくとも約13.4、約20.5及び約23.3に現れる回折角度2θ°の特性ピークを有する、請求項3に記載の結晶塩。
【請求項６】
結晶塩の合成後に実質的に図2に示すようなDSC曲線を有する、請求項3に記載の結晶塩。
【請求項７】
結晶塩の合成後に実質的に図3に示すようなTGA曲線を有する、請求項3に記載の結晶塩。
【請求項８】
前記塩が、0日目で、HPLCで測定して約0.1ピーク面積%〜約7.0ピーク面積%のβ異性体含量を有する、請求項3に記載の結晶塩。
【請求項９】
前記塩がモノメシル酸塩である、請求項1に記載の結晶塩。
【請求項１０】
結晶塩の合成後に実質的に図4に示すようなXRPDパターンを有する、請求項9に記載の結晶塩。
【請求項１１】
XRPDで測定して少なくとも約9、約15及び約23.8に現れる回折角度2θ°の特性ピークを有する、請求項9に記載の結晶塩。
【請求項１２】
結晶塩の合成後に実質的に図5に示すようなDSC曲線を有する、請求項9に記載の結晶塩。
【請求項１３】
結晶塩の合成後に実質的に図6に示すようなTGA曲線を有する、請求項9に記載の結晶塩。
【請求項１４】
前記塩が、0日目で、HPLCで測定して約2.0ピーク面積%〜約10.0ピーク面積%のβ異性体含量を有する、請求項9に記載の結晶塩。
【請求項１５】
前記塩がモノ硫酸塩である、請求項1に記載の結晶塩。
【請求項１６】
結晶塩の合成後に実質的に図7に示すようなXRPDパターンを有する、請求項15に記載の結晶塩。
【請求項１７】
XRPDで測定して少なくとも約15、約17.8及び約23.5に現れる回折角度2θ°の特性ピークを有する、請求項15に記載の結晶塩。
【請求項１８】
結晶塩の合成後に実質的に図8に示すようなDSC曲線を有する、請求項15に記載の結晶塩。
【請求項１９】
結晶塩の合成後に実質的に図9に示すようなTGA曲線を有する、請求項15に記載の結晶塩。
【請求項２０】
前記塩が、0日目で、HPLCで測定して約3.0ピーク面積%〜約26.0ピーク面積%のβ異性体含量を有する、請求項15に記載の結晶塩。
【請求項２１】
請求項1に記載の結晶塩及び薬学的に許容される賦形剤を含む医薬組成物。
【請求項２２】
前記塩がモノ塩酸塩である、請求項21に記載の医薬組成物。
【請求項２３】
前記塩がモノメシル酸塩である、請求項21に記載の医薬組成物。
【請求項２４】
前記塩がモノ硫酸塩である、請求項21に記載の医薬組成物。
【請求項２５】
座瘡を治療するのに使用するための、請求項21に記載の医薬組成物。
【請求項２６】
酒さを治療するのに使用するための、請求項21に記載の医薬組成物。
【請求項２７】
グラム陽性菌感染症を治療するのに使用され、前記グラム陽性菌が、プロピオニバクテリウム・アクネス、黄色ブドウ球菌、肺炎連鎖球菌、化膿連鎖球菌及びクロストリジウム・ディフィシレからなる群から選択される、請求項21に記載の医薬組成物。
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
式ＩＩの化合物
【化１】
2014520075.tif 000001
およびその薬学的に許容される塩の製造方法であって、式ＩＩＩの化合物
【化２】
2014520075.tif 000002
またはその代替となる塩と、式Ｖの化合物
【化３】
2014520075.tif 000003
を、適当な溶媒中で、適当な温度にて、金属触媒の存在下で、水素を含む還元的条件下で反応させて、式ＩＩの化合物を得た後、必要ならばその薬学的に許容される塩に変換することを含む、製造方法。
【請求項２】
式ＩＩの化合物
【化４】
2014520075.tif 000004
の製造方法であって、式ＸＸの化合物
【化５】
2014520075.tif 000005
またはその適当な代替となる他の任意の塩（または中性の親アミン）を、式ＸＩＶの化合物
【化６】
2014520075.tif 000006
と、適当な溶媒中で、塩基の存在下で（中性の親アミンＸＸを用いる場合は必要でない）反応させて、式ＸＩＩＩの化合物
【化７】
2014520075.tif 000007
を得、その後、脱保護により、式ＩＩの化合物を得ることを含む、製造方法。
【請求項３】
式ＩＩの化合物
【化８】
2014520075.tif 000008
およびその薬学的に許容される塩の製造方法であって、式ＸＶＩの化合物
【化９】
2014520075.tif 000009
を、式ＸＸＶＩＩの化合物
【化１０】
2014520075.tif 000010
と、適当な溶媒中で、塩基およびヨウ化物源の存在下で反応させて、式ＸＸＶＩの化合物
【化１１】
2014520075.tif 000011
を得、その後、式ＸＸＶＩの化合物を適当なアルコール溶媒中で、移動水素化条件下にて、ホモキラル遷移金属/配位子錯体を用いて還元し、式ＸＸＶの化合物
【化１２】
2014520075.tif 000012
を得、その後、式ＸＸＶの化合物を、適当な溶媒中で、金属触媒、例えばパラジウム黒の存在下で脱保護することで、式ＩＩの化合物を得た後、必要ならば薬学的に許容される塩に変換することを含む、製造方法。
【請求項４】
式ＩＩの化合物
【化１３】
2014520075.tif 000013
およびその薬学的に許容される塩の製造方法であって、式ＸＸＩＩＩの化合物
【化１４】
2014520075.tif 000014
を適当な溶媒中で、ｔ−ブチルビニルエーテル; 金属触媒または配位子/相遷移触媒/塩基の組合せを添加することで反応させて、式ＸＸＶＩＩＩの化合物
【化１５】
2014520075.tif 000015
を得、その後、式ＸＸＶＩＩＩの化合物を、適当な酸に添加することによって、式Ｖの化合物
【化１６】
2014520075.tif 000016
に変換し、その後、式Ｖの化合物を、式ＩＩＩの化合物
【化１７】
2014520075.tif 000017
またはその代替となる任意の塩と、適当な溶媒中で、金属触媒またはホウ素利用還元剤の存在下にて、水素化条件下で反応させて式ＩＩの化合物を得た後、必要ならば薬学的に許容される塩に変換することを含む、製造方法。
【請求項５】
式ＩＩの化合物
【化１８】
2014520075.tif 000018
およびその薬学的に許容される塩の製造方法であって、式ＸＸの化合物
【化１９】
2014520075.tif 000019
またはその代替となる塩を、式ＸＸＩＸの化合物
【化２０】
2014520075.tif 000020
と、適当な溶媒中で、塩基の存在下で反応させ、式ＸＩＩＩの化合物
【化２１】
2014520075.tif 000021
を得た後、脱保護することにより式ＩＩの化合物を得、その後、必要ならば薬学的に許容される塩に変換することを含む、製造方法。
【請求項６】
式ＩＩの化合物
【化２２】
2014520075.tif 000022
およびその薬学的に許容される塩の製造方法であって、式ＸＸＶＩＩの化合物
【化２３】
2014520075.tif 000023
を、式ＸＩＶの化合物
【化２４】
2014520075.tif 000024
と適当な溶媒および塩基中で反応させて、式ＸＸＶの化合物
【化２５】
2014520075.tif 000025
を得、その後、脱保護により、式ＩＩの化合物を得た後、必要ならば薬学的に許容される塩に変換することを含む、製造方法。
【請求項７】
式ＩＩの化合物
【化２６】
2014520075.tif 000026
およびその薬学的に許容される塩の製造方法であって、式ＩＩＩの化合物
【化２７】
2014520075.tif 000027
またはその適当な代替となる他の任意の塩と、式Ｖの化合物
【化２８】
2014520075.tif 000028
とを反応させることを含む、製造方法。
【請求項８】
本願明細書の表１に記載の新規な中間体化合物。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
α−２アドレナリン受容体に対して、α−１アドレナリン受容体と比較して３００倍以上の結合親和性を有する選択的α−２アドレナリン受容体作動薬または医薬として許容されるその塩を含む組成物であって、ｐＨが約４．０と約８．５の間である、組成物。
【請求項２】
選択的α−２アドレナリン受容体作動薬が、ロフェキシジン、アプラクロニジン、ミバゼロール、クロニジン、ブリモニジン、αメチルドーパ、グアンファシン、デクスメデトミジン、（＋）−（Ｓ）−４−［１−（２，３−ジメチル−フェニル）−エチル］−１，３−ジヒドロ−イミダゾール−２−チオン、１−［（イミダゾリジン−２−イル）イミノ］インダゾールおよびこれらの化合物の混合物からなる群から選択される、請求項１に記載の組成物。
【請求項３】
α−２アドレナリン受容体作動薬が、約０．００１重量／体積％から約０．０５重量／体積％の間の濃度で存在する、請求項１に記載の組成物。
【請求項４】
α−２アドレナリン受容体作動薬が、約０．０１重量／体積％から約０．０２５重量／体積％の間の濃度のブリモニジンである、請求項１に記載の組成物。
【請求項５】
組成物が約０．１から約０．５重量／体積％の間の塩化カリウムをさらに含み、α−２アドレナリン受容体作動薬がブリモニジンであり、ブリモニジンの濃度が約０．０１重量／体積％から約０．０２５重量／体積％の間であり、組成物のｐＨが約５．０と約８．０の間である、請求項１に記載の組成物。
【請求項６】
鼻の状態を治療する必要がある患者の鼻の状態を治療する方法であって、医薬として有効な量の請求項１に記載の組成物を患者に投与するステップを含む、方法。
【請求項７】
鼻の状態が最小限の鼻甲介腫脹と共に重度の鼻汁を伴っている、請求項６に記載の方法。
【請求項８】
鼻の状態が血管運動性鼻炎を含む、請求項７に記載の方法。
【請求項９】
鼻の状態が鼻甲介のかなりの肥大および／または鼻道の物理的な閉塞を伴っている、請求項６に記載の方法。
【請求項１０】
鼻の状態がアレルギー性鼻炎、ウイルス性鼻炎および睡眠時無呼吸からなる群から選択される状態を含む、請求項９に記載の方法。
【請求項１１】
選択的α−２アドレナリン受容体作動薬がかなりの粘膜への浸透および粘膜下への透過を達成するために十分な親油性のブリモニジンである、請求項９に記載の方法。
【手続補正書】
【提出日】平成27年5月14日(2015.5.14)
【手続補正１】
【補正対象書類名】明細書
【補正対象項目名】００３７
【補正方法】変更
【補正の内容】
【００３７】
〔式中、ＰＧは前記と同意義を示す。〕
で表される化合物またはその塩（以下、化合物（ＶＩ）ともいう。）を酸化反応に付する工程；
工程（３）：工程（２）で得られる式：
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
（ａ）１，１，１−トリフルオロ−３，３−ジクロロプロパン（２４３ｆａ）を脱塩化水素化して、それによってシス−１−クロロ−３，３，３−トリフルオロプロペン、トランス−１−クロロ−３，３，３−トリフルオロプロペン、及び塩化水素を含む生成物流を生成させ；
（ｂ）場合によっては、工程（ａ）の生成物流から塩化水素を回収し；
（ｃ）シス−１−クロロ−３，３，３−トリフルオロプロペンの少なくとも一部をトランス−１−クロロ−３，３，３−トリフルオロプロペンに異性化し；そして
（ｄ）トランス−１−クロロ−３，３，３−トリフルオロプロペン生成物を分離及び精製する；
ことを含むトランス−１−クロロ−３，３，３−トリフルオロプロペンを製造するための連続統合製造方法。
【請求項２】
２４３ｆａの脱塩化水素を、ハロゲン化金属酸化物、金属ハロゲン化物、及び担持金属触媒からなる群から選択される触媒を用いて蒸気相中で行う、請求項１に記載の方法。
【請求項３】
２４３ｆａの脱塩化水素を苛性溶液を用いて行う、請求項１に記載の方法。
【手続補正２】
【補正対象書類名】明細書
【補正対象項目名】００３６
【補正方法】変更
【補正の内容】
【００３６】
好ましい態様を参照して本発明を特に示し且つ記載したが、発明の範囲から逸脱することなく種々の変更及び修正を行うことができることは当業者に容易に認められるであろう。特許請求の範囲は、開示されている態様、上記で議論したこれらの代替物、及びこれらに対する全ての均等物をカバーするように解釈されると意図される。
本発明は以下の態様を含む。
［１］
（ａ）１，１，１−トリフルオロ−３，３−ジクロロプロパン（２４３ｆａ）を脱塩化水素化して、それによってシス−１−クロロ−３，３，３−トリフルオロプロペン、トランス−１−クロロ−３，３，３−トリフルオロプロペン、及び塩化水素を含む生成物流を生成させ；
（ｂ）場合によっては、工程（ａ）の生成物流から塩化水素を回収し；
（ｃ）シス−１−クロロ−３，３，３−トリフルオロプロペンの少なくとも一部をトランス−１−クロロ−３，３，３−トリフルオロプロペンに異性化し；そして
（ｄ）トランス−１−クロロ−３，３，３−トリフルオロプロペン生成物を分離及び精製する；
ことを含むトランス−１−クロロ−３，３，３−トリフルオロプロペンを製造するための連続統合製造方法。
［２］
２４３ｆａの脱塩化水素を、ハロゲン化金属酸化物、金属ハロゲン化物、及び担持金属触媒からなる群から選択される触媒を用いて蒸気相中で行う、［１］に記載の方法。
［３］
２４３ｆａの脱塩化水素をフッ素化クロミア触媒上で行う、［２］に記載の方法。
［４］
２４３ｆａの脱塩化水素を苛性溶液を用いて行う、［１］に記載の方法。
［５］
苛性溶液が、ＫＯＨ、ＮａＯＨ、Ｃａ（ＯＨ）２、及びＣａＯからなる群から選択される塩基の水溶液である、［４］に記載の方法。
［６］
苛性溶液の濃度が約２重量％〜約１００重量％である、［４］に記載の方法。
［７］
苛性溶液の濃度が約１０重量％〜約８０重量％である、［４］に記載の方法。
［８］
シス−１２３３ｚｄの異性化を、ハロゲン化金属酸化物、金属ハロゲン化物、及び担持金属触媒からなる群から選択される触媒を用いて蒸気相中で行う、［１］に記載の方法。
［９］
シス−１２３３ｚｄの異性化をフッ素化クロミア触媒上で行う、［８］に記載の方法。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
羽根（１４）の基部（１４Ａ）と前記基部（１４Ａ）に向かい合うハブ（１２、１３）の面との間に空白空間（１８、１８Ａ、１８Ｂ）が画定されるようにタービンエンジン（１）のプロペラ（７、８）のハブ（１２、１３）上に装着されるよう意図された羽根、特に可変ピッチ羽根であって、
前記羽根が、以下の２つの位置：
格納閉鎖可能な手段が、少なくとも部分的に前記空白空間（１８、１８Ａ、１８Ｂ）を閉鎖する展開位置、および
前記格納可能な手段が前記空白空間の外側に保持される極限格納位置
の少なくとも１つを可逆的な方法で占有することができる格納可能な閉鎖手段（１６、１７）を備えることを特徴する、羽根。
【請求項２】
前記展開位置が極限位置である、請求項１に記載の羽根。
【請求項３】
基部（１４Ａ）内に配置され、前記閉鎖手段（１６、１７）をこれらが格納位置を占有するときに受け入れることができる少なくとも１つのコンパートメント（２０、２１）を備える、請求項１または２のいずれかに記載の羽根。
【請求項４】
閉鎖手段（１６、１７）の展開または格納を、これらが展開位置および格納位置、ならびに格納位置および展開位置を連続的に占有するように、およびその逆を制御するための作動手段（２２）を備える、請求項１から３のいずれか一項に記載の羽根。
【請求項５】
作動手段（２２）が羽根（１１）内に収容される、請求項４に記載の羽根。
【請求項６】
作動手段（２２）が、プロペラ（７、８）のハブ（１２、１３）内に収容された少なくとも１つの電磁石を備え、
閉鎖手段（１６、１７）が、少なくとも表面上は強磁性材料からなる、請求項４に記載の羽根。
【請求項７】
閉鎖手段が、以下の２つの要素：
展開位置において羽根（１１）の前縁（１１Ａ）を延ばす前縁（１６Ａ）を備える上流側閉鎖フラップ（１６）、
展開位置において羽根の後縁（１１Ｂ）を延ばす後縁（１７Ａ）を備える下流側閉鎖フラップ（１７）
の少なくとも１つを備える、請求項１から６のいずれか一項に記載の羽根。
【請求項８】
上流側（１６）または下流側（１７）の各々の閉鎖フラップが、展開位置において、向かい合うハブ（１２、１３）の面に少なくとも部分的に形状適合するように適合された基部（１６Ｂ、１７Ｂ）を備える、請求項１から７のいずれか一項に記載の羽根。
【請求項９】
各々の上流側（１６）または下流側（１７）の閉鎖フラップが、ピン（１９）によって羽根（１１）、特に羽根の根元部（１５）に連接される、請求項７または請求項８に記載の羽根。
【請求項１０】
回転軸（Ｌ−Ｌ）を中心に回転可能に装着されたハブ（１２、１３）を備える、特にアンダクテッドファンタービンエンジン用のプロペラであって、
前記プロペラが、前記ハブ上に装着された、請求項１から９のいずれか一項に明示されたタイプの複数の羽根（１１）を備えることを特徴とする、プロペラ。
【請求項１１】
羽根（１１）が、その角度調整を可能にするように可変ピッチを有して装着される、請求項１０に記載のプロペラ。
【請求項１２】
前記タービンエンジンが請求項１０または請求項１１に明示されたタイプの少なくとも１つのプロペラ（７、８）を備えることを特徴とする、タービンエンジン。
【請求項１３】
アンダクテッドファンタイプのものであり、２つの同軸の二重反転プロペラ（７、８）を備え、少なくとも上流側プロペラ（７）が請求項１０または請求項１１に明示されたタイプのものである、請求項１２に記載のタービンエンジン。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
ペトリ皿の長期にわたる保管寿命及び保存のための、栄養培地を中に包含する複数のペトリ皿を含有する平坦な包装であって、光学的に透明、高遮断性、耐湿性、耐ガス性、及び耐菌性の袋を含み、前記袋が内腔を有し、かつその中に不動化された複数の無菌栄養媒体含有ペトリ皿を含有し、前記複数のペトリ皿のそれぞれが、前記袋の前記内腔内に同一平面配置で実質的に整列された別のペトリ皿と隣接して位置付けられ、前記袋は前記袋の前記内腔から空気が排出されたあとヒートシールされ、前記袋の透明性と、前記袋の中での前記ペトリ皿の不動性、整列、及び緩衝と、空気の排出とにより、前記ペトリ皿及びその中に含有される栄養培地の長期にわたる保管寿命及び無菌性の保存と、ペトリ皿の破損の実質的排除と、使用者による各ペトリ皿の向上した視認性とがもたらされることを特徴とする平坦な包装。
【請求項２】
請求項１に記載の平坦な包装において、前記複数のペトリ皿が前記袋の１つの面に整列されることを特徴とする平坦な包装。
【請求項３】
請求項１に記載の平坦な包装において、前記袋が、ポリプロピレン、配向ポリプロピレン（ＯＰＰ）、ポリエチレンテレフタレート（ＰＥＴ）及びそれらの組合せからなる群から選択される、はっきり透明な樹脂材料から構成されることを特徴とする平坦な包装。
【請求項４】
請求項１に記載の平坦な包装において、前記袋の前記内腔が、前記袋の前記内腔から空気が排出された後、不活性ガスで洗浄されることを特徴とする平坦な包装。
【請求項５】
請求項４に記載の平坦な包装において、前記不活性ガスが窒素ガスであることを特徴とする平坦な包装。
【請求項６】
請求項１に記載の平坦な包装において、前記袋がヒートシールされることを特徴とする平坦な包装。
【請求項７】
請求項１に記載の平坦な包装において、前記袋が簡単な開封及び密封の為に、ジップロックを有することを特徴とする平坦な包装。
【請求項８】
請求項１に記載の平坦な包装において、前記袋及び前記複数のペトリ皿が、無菌環境中で無菌的に取り扱われることを特徴とする平坦な包装。
【請求項９】
請求項１に記載の平坦な包装において、前記複数のペトリ皿が、約１０〜約２０個のペトリ皿からなることを特徴とする平坦な包装。
【請求項１０】
請求項１に記載の平坦な包装において、前記袋の形状が、円形、長方形、楕円形、及び正方形からなる群から選択されることを特徴とする平坦な包装。
【請求項１１】
請求項１に記載の平坦な包装において、前記複数のペトリ皿及びその中に含有される栄養培地が、少なくとも１２か月の間、保管寿命を有し、かつ無菌性を維持することを特徴とする平坦な包装。
【請求項１２】
ペトリ皿の長期にわたる保管寿命及び保存のための、栄養培地を中に含有した複数のペトリ皿を含有する平坦な包装を製造する方法であって、
光学的に透明、高遮断性、耐湿性、耐ガス性、及び耐菌性の袋であって、内腔を有する袋を得るステップと、
複数のペトリ皿を前記袋の前記内腔に挿入するステップであって、前記複数のペトリ皿のそれぞれが互いに隣接して位置付けられ、かつ同一平面配置で実質的に整列され、前記複数のペトリ皿が前記袋の前記内腔内で不動化されるステップと、
前記袋の前記内腔及びその中の前記複数のペトリ皿から空気を排出するステップと、
任意選択的に前記袋を不活性ガスで洗浄するステップと、
前記袋をヒートシールするステップとを含み、前記袋の透明性及び前記袋による緩衝と、袋の中でのペトリ皿の不動化された配置及び実質的に同一平面の配置と、空気の排出とにより、前記ペトリ皿及びその中に含有される栄養培地の長期にわたる保管寿命及び無菌性の保存と、前記ペトリ皿の破損の実質的排除と、使用者による前記ペトリ皿のそれぞれの向上した視認性とがもたらされることを特徴とする方法。
【請求項１３】
請求項１２に記載の方法において、前記複数のペトリ皿が前記袋の１つの面に整列されることを特徴とする方法。
【請求項１４】
請求項１２に記載の方法において、前記袋が、ポリプロピレン、配向ポリプロピレン（ＯＰＰ）、ポリエチレンテレフタレート（ＰＥＴ）及びそれらの組合せからなる群から選択される、はっきり透明な樹脂材料から構成されることを特徴とする方法。
【請求項１５】
請求項１２に記載の方法において、前記不活性ガスが窒素ガスであることを特徴とする方法。
【請求項１６】
請求項１２に記載の方法において、前記封止された袋が簡単な開封及び密封の為に、ジップロックを有することを特徴とする方法。
【請求項１７】
請求項１２に記載の方法において、前記袋及び前記複数のペトリ皿が、無菌環境中で無菌的に取り扱われることを特徴とする方法。
【請求項１８】
請求項１２に記載の方法において、前記複数のペトリ皿が、約１０〜約２０個のペトリ皿からなることを特徴とする方法。
【請求項１９】
請求項１２に記載の方法において、前記複数のペトリ皿及びその中に含有される栄養培地が、少なくとも１２か月の間、保管寿命を有し、かつ無菌性を維持することを特徴とする方法。